(57)【要約】  本発明は、血管または食道などの内腔が狭窄した場合、これを拡張してくれる自己膨脹性医療用具である円筒形ステントに関し、より詳しくは、多数のピーク部Ｐとバレー部Ｂを形成する金属材料からなって長手方向の軸を持つ円筒形ステントであって、上記円筒形ステントの両側末端部を形成するピーク部の端部Ａが円筒形ステントの内側方向に曲がっていることを特徴とする。  本発明は、円筒形ステントの末端部と血管壁との間の接触により血管壁が剥離、破損、または損傷されて、仮性血管が形成される問題などを効果的に予防することができ、食道などの内腔壁と円筒形ステントの末端部との間の接触により接触部位に炎症が発生する問題を効果的に防止する効果がある。【選択図】図１
2011504407.tif 000002
【特許請求の範囲】
【請求項１】
多数のピーク部Ｐとバレー部Ｂを形成する金属材料からなって長手方向の軸を持つ円筒形ステントであって、
前記円筒形ステントの両側末端部を形成するピーク部の端部Ａが円筒形ステントの内側方向に曲がっていることを特徴とする円筒形ステント
【請求項２】
金属材料がナイチノール、ステンレス、コバルトクロム、エルジロイ、及びこれらの合金のうちから選択された１種であることを特徴とする請求項１に記載の円筒形ステント。
【請求項３】
円筒形ステントは織物から構成された人造血管をさらに含むことを特徴とする請求項１に記載の円筒形ステント。
【請求項４】
金属材料がワイヤー及びレーザーカッティングされた金属円筒であることを特徴とする請求項１に記載の円筒形ステント。
【発明の詳細な説明】
【技術分野】
【０００１】
本発明は、内腔用医療用具に関し、より詳しくは、血管または食道などの内腔が狭窄した場合、これを拡張してくれる自己膨脹型医療道具（以下、"ステント"という）に関する。より詳しくは、本発明は円筒形ステントの末端部と血管壁との間の接触により血管壁が剥離、破損、または損傷されて仮性血管が形成される問題などを効果的に予防することができ、食道などの内腔壁と円筒形ステントの末端部との間の接触により接触部位に炎症が発生する問題を効果的に防止するステントに関する。
【０００２】
一般に、人体内に発生する疾病により人体内の内腔は狭窄されて機能が低下するか、甚だしい場合、何らの機能をすることができない状態になることがある。例えば、内腔が狭窄した場合には、食道癌により食道が狭窄を起こしたり、動脈硬化症により円滑な血液循環がなされない時、または肝から出る胆汁が流れることができるトラックが狭窄した場合がある。
【０００３】
このように、内腔が狭窄した状態では食物や血液または胆汁などが円滑に流れることができないため、狭窄した内腔を拡張させて通路を維持させなければならないが、この場合に狭窄した通路を拡張して維持させるための方法として、例えば、ステント（Stent）が内腔に挿入される。
【背景技術】
【０００４】
このようなステントは大抵全体的な形状が円筒形構造体をなし、自体が弾性力を持っているので外力を加えて収縮させることができ、この外力を除去すれば自体膨脹する方式が広く使われている。
【０００５】
前述した自体膨脹型ステントは、いろいろな特性、即ち、内腔を膨脹させてあげるための膨脹性と、内腔の曲がった部位で内腔の曲がった形態をそのまま維持しながら柔軟に適応できる柔軟性と、一定の直径に縮小されるための縮小性などを保持しなければステントとしての機能を正しく発揮できないようになる。
【０００６】
前述したステントの特性のうち、膨脹性が足りないと内腔の最初挿入された位置から容易に移動するようになり、柔軟性が足りないとステントが内腔の曲がった部位で膨脹する時、内腔の曲がった部位で適応性が落ちるようになり、縮小性が足りないとステントを挿入するための挿入装置のサイズが大きくなるようになる。
【０００７】
したがって、前述した機能を有するステントが多数開発されてきたのであり、このようなステントは大別して螺旋形ステントとジグザグ型ステントとに分けられる。
【０００８】
前述した螺旋形ステントのうちの代表的なものには、単位長さを持つフィラメントを円筒形壁面に沿って螺旋状に巻き取り、またジグザグ形態で両端部を往復すると共に、互いに交差してメッシュを作って全体的に円筒形状を持つようになる。
【０００９】
一方、大韓民国公開特許第１９９８−６７３９９号では、フィラメントを多数の直線部と多数のベンディングポイントにより該直線部を連結するピーク部及びバレー部をなすようにジグザグに多数のターンを行い、前述したどの１ターンのバレー部は該１ターンと隣り合うターンの対応するピーク部を縒り合わせて連結してなされたステントを提示している。
【００１０】
以上、前述した従来のステントは図４に示すように、ステントの両側末端部を形成するピーク部がステントの本体と一直線を維持するため、言い換えれば、ステントの内側に曲がった形態でないので、使用中にステントの末端部と血管壁との間の接触により血管壁が剥離、破損、及び損傷されて仮性血管が形成される深刻な問題があった。
【００１１】
図４は、従来のステントの斜視概略図である。
【００１２】
血管壁の剥離現象は血管壁を構成する３つ層のうち、内側１つ層が残りの２つ層と分離される現象であって、血管壁の剥離が生じると仮性血管が生成される問題が発生する。
【００１３】
また、従来のステントは使用中にステントの末端部と食道のような内腔壁との間の接触により上記接触部位に炎症が発生する深刻な問題もあった。
【発明の概要】
【発明が解決しようとする課題】
【００１４】
本発明の目的は、従来のステントの問題点を解決することによって、ステントの末端部との接触により血管壁が剥離、破損、及び損傷される現象を効果的に防止し、ステントの末端部との接触により食道のような内腔壁に炎症が発生することを予防できる円筒形ステントを提供することにある。
【課題を解決するための手段】
【００１５】
このような課題を達成するために、本発明では、円筒形ステントの両側末端部を形成するピーク部の端部Ａを円筒形ステントの内側方向、言い換えれば、円筒形ステントの長手方向の中心軸方向に曲がるように形成することによって、人体内に施術を行なう場合、ステントの両側末端部と血管壁や非血管内腔壁との接触を最小化して血管壁や内腔壁の損傷を防止する。
【発明の効果】
【００１６】
本発明によれば、円筒形ステントの末端部と血管壁との間の接触により血管壁が剥離、破損、または損傷されて仮性血管が形成される問題などを効果的に予防することができ、食道などの内腔壁と円筒形ステントの末端部との間の接触により接触部位に炎症が発生する問題を効果的に防止する効果が得られる。
【図面の簡単な説明】
【００１７】
【図１】本発明に従う円筒形ステントの斜視写真である。
【図２】本発明に従う円筒形ステントの斜視写真である。
【図３】本発明に従う円筒形ステントの両側末端部を形成するピーク部拡大写真である。
【図４】従来の円筒形ステント概略図である。
【図５】本発明に従う円筒状ステントを製造することに使われるステント製作用ジグの長手方向断面図である。
【発明を実施するための形態】
【００１８】
本発明に従う円筒形ステントは、図１乃至図３に示すように、多数のピーク部Ｐとバレー部Ｂを形成する金属材料からなって長手方向の軸を持つ円筒形ステントであって、上記円筒形ステントの両側末端部を形成するピーク部の端部Ａが円筒形ステントの内側方向に曲がっていることを特徴とする。
【００１９】
図１乃至図２は本発明に従う円筒形ステントの斜視写真であり、図３は本発明に従う円筒形ステントの両側末端部を形成するピーク部の拡大写真である。
【００２０】
本発明において、円筒形ステントの両側末端部を形成するピーク部の端部Ａが円筒形ステントの内軸方向に曲がっているということは、上記終端部Ａがステントの本体よりもステントの長手方向の中心軸側に曲がっているということを意味する。
【００２１】
本発明に従う円筒形ステントは、図２のように上記金属材料のみで構成されることもでき、  図１のように織物で構成された人造血管をさらに含むこともできる。
【００２２】
上記金属材料は、ナイチノール、ステンレス、コバルトクロム、エルジロイ、またはこれらの合金などである。
【００２３】
上記金属材料は、ワイヤーまたはレーザーカッティングされた金属円筒などである。
【００２４】
本発明に従う円筒状ステントは、図５に示すように、両側末端部の直径が中間部の直径より小さいステント製作用ジグ１０を使用して通常的なステント製造工程により製作できる。
【００２５】
図５は、本発明に従う円筒形ステントを製造することに使われるステント製作用ジグの長手方向断面図である。
【符号の説明】
【００２６】
Ｐ    円筒形ステントのピーク部
Ｂ    円筒形ステントのバレー部
Ａ    円筒形ステントの両側末端部を形成するピーク部の端部
１０  ステント製作用ジグ
１１  ステント製作用ジグのピン（Pin）
【図１】
2011504407.tif 000003
【図２】
2011504407.tif 000004
【図３】
2011504407.tif 000005
【図４】
2011504407.tif 000006
【図５】
2011504407.tif 000007
【国際調査報告】
2011504407.tif 000008
2011504407.tif 000009